(57)【要約】【課題】ストラップを装着し、ボックスに収することが可能な冊子を有する冊子セット、及びそれを作成するための冊子セット用キットを提供する。【解決手段】冊子セット用キット１００は、ストラップ１０、ページシート２０（シート）、冊子カバーシート・ボックスカバーシート共有シート４０（シート）、冊子カバーコア・ボックスコア共有シート７０（シート）からなる。画像形成装置２００（あるいはパーソナルコンピュータ、ＰＣ）にユーザが所有する画像データを格納して、シート２０、４０に印刷する。そして冊子カバーシート４１と冊子カバーコア７１から表紙部８０を作成し、一方ページシート２０を折り曲げてペ−ジ部を作成した後に、両者を合体させて、さらにストラップ１０を装着してストラップ付き冊子３１０を作成する。ボックスカバーシート４２とボックスコア７２とからボックス３２０を作成する。ストラップ付き冊子３１０はボックス３２０の開口部３２１から収容できる。【選択図】図１
2010069785.tif 000002
【特許請求の範囲】
【請求項１】
冊子カバーにより表紙部が外方から覆われた冊子と、
紐部を有するストラップと、
ボックスカバーにより外方から覆われ、開口部を有するボックスと、を備え、
前記ボックスは、前記開口部から前記冊子を挿入して収容することが可能であり、
前記ボックスが前記冊子を収容した状態において前記冊子の背表紙に相当する部位である背表紙相当部は前記開口部から外部に露出し、
前記ストラップの前記紐部は前記冊子の背表紙相当部に連結され、
前記冊子が前記ボックスに収容した状態では前記ストラップの少なくとも一部は前記開口部の外部に位置し、
前記冊子カバーと前記ボックスカバーの外方側に位置する面である表面は使用者により印刷可能とされていることを特徴とする冊子セット。
【請求項２】
冊子セットを作成するための冊子セット用キットであって、
前記冊子セットは、
冊子カバーにより外方から覆われた冊子と、
紐部を有するストラップと、
ボックスカバーにより外方から覆われ、開口部を有するボックスと、を備え、
前記冊子カバーと前記ボックスカバーの外方側に位置する面である表面は使用者により印刷可能とされ、
前記ボックスは、前記開口部から前記冊子を挿入して収容することが可能であり、
前記ボックスが前記冊子を収容した状態において前記冊子の背表紙に相当する部位である背表紙相当部は前記開口部から外部に露出し、
前記ストラップの前記紐部は前記冊子の背表紙相当部に連結され、
前記冊子が前記ボックスに収容した状態では前記ストラップの少なくとも一部は前記開口部の外部に位置し、
前記冊子セット用キットは１枚のシートであるカバーシートを備え、
そのカバーシート上に、折畳処理により前記冊子カバーとなる冊子カバーシート部と、折畳処理により前記ボックスカバーとなるボックスカバーシート部と、が配置され、
前記冊子カバーの前記表面となる面と前記ボックスカバーの前記表面となる面とは前記カバーシートにおける同一面であることを特徴とする冊子セット用キット。
【請求項３】
前記冊子セット用キットは、
前記冊子カバーにより覆われて前記冊子の表紙部の芯材となる表紙用芯材部と、
前記ボックスカバーにより覆われて前記ボックスの芯材となるボックス用芯材部と、
を備えた請求項２に記載の冊子セット用キット。
【請求項４】
前記冊子セット用キットは１枚のシートであるコーティングシールを備え、
そのコーティングシールは、前記ボックスにおけるボックスカバーを外側から覆う請求項２又は３に記載の冊子セット用キット。
【請求項５】
前記冊子セット用キットはページシートを備え、
そのページシートに対して印刷処理と切離処理と折畳処理とを行うことによって、前記冊子におけるページ部が形成され、
前記ページシートの片面のみが前記印刷処理を行う面である請求項２ないし４のいずれか一項に記載の冊子セット用キット。
【発明の詳細な説明】
【技術分野】
【０００１】
本発明は冊子セット、及び冊子セット用キットに関する。
【背景技術】
【０００２】
周知のとおり今日携帯電話機が広く普及しているが、それに伴ない、携帯電話機に装着するストラップも普及している。携帯電話機に対するストラップは、初期の頃には高価な携帯電話機を落としてしまうことを防止するために装着されたが、今日においてはユーザの嗜好に沿って携帯電話機を装飾する等、ストラップの目的も広がっている。
【０００３】
またストラップを装着する対象も広がっており、例えば下記特許文献１にはイヤホン装置に装着するストラップが提案されている。同文献では、提案されたストラップによって、ユーザがイヤホンを自由に選択でき、かつ取り扱いにも優れていると主張されている。
【０００４】
【特許文献１】特開２００８−０６７１９８号公報
【発明の開示】
【発明が解決しようとする課題】
【０００５】
ストラップの装着対象としては、これまでに提案されている以外にも様々な対象が考えられる。例えば冊子に装着するといった形態も考えられる。特に、小冊子にストラップを付けた形態は、持ち運びの利便性も向上させるし、洒落たイメージを持たせることも可能であると考えられる。さらにストラップを背表紙部分に装着した冊子がボックスに収容される形態の場合には、ストラップを引張ることにより冊子を取り出せるという効果も有する。
【０００６】
今日ではディジタルカメラで撮影した写真画像を多くの人が所有しているが、そうした画像をいつでも見やすい形態で持ちたいとの要望が高い。したがって、自分で撮影した好みの写真を印刷して冊子形式にすれば、そうした要望に応えられる。さらにその冊子にストラップを装着して洒落た外観とすれば、大切な写真に対する愛着がさらに高まる効果が考えられる。しかし、冊子にストラップを装着した形態はこれまで提案されていない。
【０００７】
そこで本発明が解決しようとする課題は、上記問題点に鑑み、ストラップを装着し、ボックスに収することが可能な冊子を有する冊子セット、及びそれを作成するための冊子セット用キットを提供することにある。
【課題を解決するための手段及び発明の効果】
【０００８】
上記課題を解決するために、本発明の冊子セットは、冊子カバーにより表紙部が外方から覆われた冊子と、紐部を有するストラップと、ボックスカバーにより外方から覆われ、開口部を有するボックスと、を備え、前記ボックスは、前記開口部から前記冊子を挿入して収容することが可能であり、前記ボックスが前記冊子を収容した状態において前記冊子の背表紙に相当する部位である背表紙相当部は前記開口部から外部に露出し、前記ストラップの前記紐部は前記冊子の背表紙相当部に連結され、前記冊子が前記ボックスに収容した状態では前記ストラップの少なくとも一部は前記開口部の外部に位置し、前記冊子カバーと前記ボックスカバーの外方側に位置する面である表面は使用者により印刷可能とされていることを特徴とする。
【０００９】
これにより本発明の冊子セットでは、冊子を収容して保護するボックスが備えられ、さらに冊子カバーとボックスカバーとを使用者が自分で印刷することができるので、冊子カバー、ボックスカバーを使用者の好みのデザインとできる冊子セットが実現できる。さらに冊子の背表紙相当部にストラップが装着されているので、持ち運びの利便性が向上し、かつ洒落た冊子となり、所有者の冊子への愛着が高まる。さらに、ストラップを引張れば簡単に冊子をボックスから取り出せるので、ストラップが装着されていない場合と比較して取り出しが容易となる。
【００１０】
また本発明の冊子セット用キットは、冊子セットを作成するための冊子セット用キットであって、前記冊子セットは、冊子カバーにより外方から覆われた冊子と、紐部を有するストラップと、ボックスカバーにより外方から覆われ、開口部を有するボックスと、を備え、前記冊子カバーと前記ボックスカバーの外方側に位置する面である表面は使用者により印刷可能とされ、前記ボックスは、前記開口部から前記冊子を挿入して収容することが可能であり、前記ボックスが前記冊子を収容した状態において前記冊子の背表紙に相当する部位である背表紙相当部は前記開口部から外部に露出し、前記ストラップの前記紐部は前記冊子の背表紙相当部に連結され、前記冊子が前記ボックスに収容した状態では前記ストラップの少なくとも一部は前記開口部の外部に位置し、前記冊子セット用キットは１枚のシートであるカバーシートを備えそのカバーシート上に、折畳処理により前記冊子カバーとなる冊子カバーシート部と、折畳処理により前記ボックスカバーとなるボックスカバーシート部と、が配置され、前記冊子カバーの前記表面となる面と前記ボックスカバーの前記表面となる面とは前記カバーシートにおける同一面であることを特徴とする。
【００１１】
これにより本発明の冊子セット用キットでは、冊子カバーとなる冊子カバーシートと、ボックスカバーとなるボックスカバーシートを１枚のシートとしているので、１回の印刷処理によって冊子カバーとボックスカバーを印刷できる。したがって少ない手間と短時間で、使用者の好みのデザインに冊子カバーとボックスカバーを印刷でき、さらにストラップを装着した、使用者に深い愛着を持って使用される冊子を作成するための冊子セット用キットが実現できる。
【００１２】
また前記冊子セット用キットは、前記冊子カバーにより覆われて前記冊子の表紙部の芯材となる表紙用芯材部と、前記ボックスカバーにより覆われて前記ボックスの芯材となるボックス用芯材部と、を備えたとしてもよい。
【００１３】
これにより表紙用芯材部とボックス用芯材部とを用いるので、頑丈さを有する表紙、冊子と、ボックスとなる。したがって、長期に渡る使用に適する頑丈さを有する冊子セットが作成できる冊子セット用キットが実現できる。
【００１４】
また前記冊子セット用キットは１枚のシートであるコーティングシールを備え、そのコーティングシールは、前記ボックスにおけるボックスカバーを外側から覆うとしてもよい。
【００１５】
これによりコーティングシールによってボックスを覆うことによって、ボックスの強度がさらに向上でき、ボックスカバーが剥がれることが抑制される。また、ボックスが光沢を有する外観にでき、ボックスが汚れることも抑制できる。
【００１６】
また前記冊子用セットはページシートを備え、そのページシートに対して印刷処理と切離処理と折畳処理とを行うことによって、前記冊子におけるページ部が形成され、前記ページシートの片面のみが前記印刷処理を行う面であるとしてもよい。
【００１７】
これによりページシートに印刷処理と切離処理と折畳処理を施すことにより、冊子のページ部が作成できることに加えて、ページシートに対する印刷処理は１回でよい。したがって簡易な手順によって冊子のページ部を作成できる冊子セット用キットが実現できる。
【発明を実施するための最良の形態】
【００１８】
以下図面を参照しつつ本発明の実施の形態について説明する。
【００１９】
図１には本発明の概要が示されている。以下でまず同図を参照しながら本発明の概要を説明する。本発明は冊子セット、及び冊子セットを作成するためのキットからなる発明である。
【００２０】
冊子セット３３０は、ストラップ付き冊子３１０と、ストラップ付き冊子３１０を収容するボックス３２０からなる。この冊子セット３３０は冊子セット用キット１００から作成される。冊子セット用キット１００は、ストラップ１０、ページシート２０（シート）、冊子カバーシート・ボックスカバーシート共有シート４０（シート）、冊子カバーコア・ボックスコア共有シート７０（シート）からなる。
【００２１】
図１に示されているように、画像形成装置２００（あるいはパーソナルコンピュータ、ＰＣ）にユーザが所有する画像データ２４０を格納して、シート２０、４０に印刷する。そして冊子カバーシート４１と冊子カバーコア７１から冊子３００の表紙部８０を作成し、一方ページシート２０を折り曲げてペ−ジ部を作成した後に、両者を合体させて、さらにストラップ１０の紐部１０ａを冊子３００の背表紙部３１１に装着してストラップ付き冊子３１０を作成する。
【００２２】
またボックスカバーシート４２とボックスコア７２とからボックス３２０を作成する。ストラップ付き冊子３１０はボックス３２０の開口部３２１から収容でき、収容した状態で背表紙部３１１とストラップ１９０の少なくとも一部がボックス３２０の外部に出る。ユーザがこのストラップ１９０を引張ることによりストラップ付き冊子３１０をボックス３２０から取り出すことができる。
【００２３】
図２、３、４にはそれぞれシート２０、４０、７０が示されている。図２にはシート２０の画像Ｐの印刷後の表面（印刷面）の例が示されている。シート２０には切離線２１、山折線２２、谷折線２３が形成されている。切離線２１には切り離しが行いやすいように、予め切り込みが入れられているとすればよい。山折線２２、谷折線２３も、それぞれ山折り、谷折りがし易いように、厚さが薄くされているか、あるいは軽度の切り込みが形成されている等とすればよい。
【００２４】
図３にはシート４０の（ａ）表面、（ｂ）裏面が示されている。図３（ａ）表面は印刷後の例である。図３（ｂ）の裏面には粘着面が形成され、その上に剥離紙が貼り付けられている。また同図に示されているように、シート４０にはストラップ１０を装着するための孔部４１ａに対応する部分がある。
【００２５】
図４にはシート７０が示されている。シート７０は冊子カバーコア７１の部分とボックスコア７２の部分とを備えている。ボックスコア７２には、後述するように冊子３００の表紙部８０の芯材７１ａ、７１ｂ、７１ｃが配置されている。また芯材７１ｂには、ストラップ１０を装着するための孔部７１ｄに相当する部分が形成されている。芯材７１ａ、７１ｂ、７１ｃ、及び孔部７１ｄの輪郭線はユーザが容易に切離せるように予め切れ込み等が形成してあるとすればよい。
【００２６】
さらに冊子セット用キット１００はコーティングシール９０を備えるとしてもよい。図５にはコーティングシール９０が示されている。コーティングシール９０はボックス３２０を外側から覆って貼付される無色透明の樹脂製（例えばＰＥＴ）等のシールであり、ボックスの強度や耐汚れ性能の向上やボックスカバーの剥がれ抑制のために用いられる。コーティングシール９０には、貼付強度の向上のために延設部９０ａが形成されている。
【００２７】
図６は、電子画像データを取り込んで、画像処理及び印刷等を行う画像処理装置２００の概要を説明するブロック図である。画像処理装置２００はパーソナルコンピュータ（ＰＣ）とすればよく、ＣＰＵ２０２、ＲＯＭ２０３、ＲＡＭ２０４、ＨＤＤ２０５を有し、Ｉ／Ｏポート２０１を介して、メモリーカード用スロット２０６（スロット）、スキャナ２０８、モニタ２０９、プリンタ２１０、ＣＤドライブ２１１等の入力機器及び出力機器が接続されている。アプリケーションソフト２０５ａ（プログラム）は、ＨＤＤ２０５内に保存されており、起動することによりＲＡＭ２０４内に記憶され動作する。
【００２８】
以下で冊子セット３３０作成手順の詳細を説明する。まず図１に示されているように、シート４０の表面（印刷面）にプログラム２０５ａによりプリンタ２１０を用いて印刷を施す。印刷する画像等は、例えばスロット２０６に挿入されたメモリーカード２０７内に保存されている画像２４０等とすればよい。また画像は、スキャナ２０８で取り込んだ画像でもよく、ＣＤドライブ２１１に装着されたＣＤメディアに記憶された画像でもよい。プログラム２０５ａを用いることによりユーザがＰＣ２００及びモニタ２０９を用いて画像を選択し、さらにシート４０上の適切な位置に配置して印刷することができるとすればよい。またプログラム２０５ａを用いることにより、ユーザがＰＣ２００及びモニタ２０９を用いて、画像の選択のみでなく、文字も入力してシート４０上の適切な位置に配置して印刷できるとしてもよい。
【００２９】
次に、図７に示されている手順により冊子３００の表紙部８０を作成する。まず図７（ａ）のとおり、シート４０のうち冊子カバーシート４１を切離す。次に（ｂ）のとおり、表面（印刷面）の裏面にある剥離紙４１ｂを剥離する。次に（ｃ）のとおり、冊子カバーコア７１の上に冊子カバーシート４１を置く。剥離紙４１ｂの下は粘着面なので、これにより冊子カバーコア７１と冊子カバーシート４１とが固定される。この際、冊子カバーコア７１の位置と冊子カバーシート４１の位置を合わせる。これにより冊子カバーシート４１の孔部４１ａと冊子カバーコア７１の孔部７１ｄに対応する部分が重なる位置となる。
【００３０】
次に（ｄ）のように、冊子カバーコア７１を反転させて、指で芯材７１ａ、７１ｂ、７１ｃを押しながら、冊子カバーコア７１の枠部７１ｅを取り除く。次に（ｅ）のように、冊子カバーシート４１の残りの剥離紙４３を剥がす。その際、冊子カバーシート４１の４隅の切れ端を取り除く。次に（ｆ）、（ｇ）、（ｈ）のように、冊子カバーシート４１を冊子カバーコア７１の外周線に沿って折り返して貼付を行う。次に（ｉ）のようにしっかりと押さえつけて貼付を確実にする。以上により、（ｊ）のように冊子３００の表紙部８０が完成した。
【００３１】
次に冊子３００のページ部２０の作成手順を説明する。まずプログラム２０５ａを用いてページシート２０上に画像を印刷する。具体的には、画像は予めユーザがメモリーカード２０７等のなかに保存しておき、ユーザがＰＣ２００、モニタ２０９を用いてそのなかから適当な数の画像を選択する。そしてプログラム２０５ａを用いることにより、ページシート２０上の適当な位置、向きに画像を配置して、プリンタ２１０により印刷する。
【００３２】
次に図８には、その後のページ部２０の作成手順が示されている。まず（ａ）のように、ページシート２０の端の部分を最初に切り離し、次に切離線２１に沿って切離し処理を行う。次に（ｂ）のように、ページシート２０を折り曲げる。この際、図２に示された山折線２２に沿って山折りし、谷折線２３に沿って谷折りする。これにより（ｃ）のような状態となる。なお（ｃ）の状態において全ての画像の上下方向が揃うようにプログラム２０５ａにより画像の向きが調節されて印刷されている。
【００３３】
次に（ｄ）のように、画像が印刷された面の裏面の剥離紙を取り除く。ただし“Ａ”、“Ｂ”の剥離紙は残す。剥離紙の下は粘着面となっているので、粘着面どうしを粘着させる。これにより（ｅ）のように冊子３００のページ部２０が完成する。なお粘着面の接着強度は、あまり強くならないように選択されているので、ミスしたときは再度離して接着可能にできている。
【００３４】
最後に（ｆ）のように、“Ａ”と“Ｂ”の剥離紙を剥がして、完成した表紙部８０に貼り付ける。“Ａ”と“Ｂ”の剥離紙の下も粘着面となっている。以上で冊子３００が完成した。
【００３５】
上述のとおり、冊子カバーシート４１には孔部４１ａに対応する部分が、冊子カバーコア７１には孔部７１ｄに対応する部分が形成されており、表紙部８０においては両部が重なった位置にある。したがって上の手順のどこかで、孔部４１ａ、孔部７１ｄを形成する。孔部４１ａ、孔部７１ｄに対応する部分を単に棒状のもので突くなどとすれば、容易に孔部４１ａ、孔部７１ｄを形成できるとすればよい。
【００３６】
これにより冊子３００あるいは表紙部８０には、ストラップ１０を装着できる孔部４１ａ（あるいは７１ｄ）が形成されたので、図１のとおりこれにストラップ１０の紐部１０ａを装着する。これによりストラップ付き冊子３１０が完成する。なお冊子に孔部を設けずに、ストラップ１０を図１１の様に冊子３００の背表紙部３１１とページ部２０の間を通す形態としてもよい。
【００３７】
次にボックス３２０の作成方法を説明する。この作成方法は図９、１０に示されている。図９にはボックスコア７２の組み立て手順が示されている。まずユーザは組み立て前のボックスコア７２を図１あるいは図４に示されたシート７０から切り離す。
【００３８】
容易に切り離せるように輪郭線を切り込み線にしておいてもよい。組み立て前のボックスコア７２は、図９に示されているように点線で領域７３から７９に区画されている。点線は組み立てにおける谷折り線とすればよい。なお領域とはシートの表面と裏面の双方を指すとする。
【００３９】
組み立て手順は図９のとおり、まず領域７４と領域７８が平行となるように折り曲げる。次に図示上部において、領域７３、７７を、図示下部において領域７５、７９を折りたたむ。なお領域７３と領域７７とが重なる状態となったらこの２つの領域を接着すればよい。同様に領域７５と領域７９とが重なる状態となったらこの２つの領域を接着すればよい。これらの接着のために両面粘着テープを用いてもよい。
【００４０】
次に、こうして組み立てられたボックスコア７２を外側から覆うようにボックスカバー４２を接着する。その手順が図１０に示されている。図１０に示されたボックスカバー４２では、実線は切り離す線であり、点線は谷折りのための線である。
【００４１】
図１０のとおり、ボックスカバー４２は実線と点線によって領域５１から領域６９に区画されている。図１０に示されているのはボックスカバー４２の裏面であり、ボックスカバー４２の裏面は粘着面が形成された上に、領域５１から領域６９の各領域ごとに剥離紙が貼り付けられている。
【００４２】
以下で説明する手順でボックスカバー４２の各領域をボックスコア７２に接着する際には、ボックスカバー４２における接着される領域のみの剥離紙をはがして、その領域をボックスコア７２に接着すればよい。なお本明細書で接着とは粘着も含むとする。
【００４３】
図１０に示されたボックス３２０の作成手順では、まず先に組み立てたボックスコア７２の領域７６を、ボックスカバー４２の領域６０に接着する。次にボックスカバー４２の領域５７を図示のとおり折りたたんでボックスコア７２に接着する。またボックスカバー４２の領域６３を図示のとおり折りたたんでボックスコア７２に接着する。
【００４４】
さらにボックスカバー４２の領域５９、領域６１を図示のとおり折りたたんでボックスコア７２に接着する。次にボックスカバー４２の領域５６、６２を重ねて図示のとおり折りたたんでボックスコア７２に接着する。同様にボックスカバー４２の領域５８、６４を重ねて図示のとおり折りたたんでボックスコア７２に接着する。
【００４５】
次に領域５２、６６、５４、６８を開口部３２１（図1参照）の内側へと折りたたみ、ボックスコア７２の内面へ接着する。さらに領域５１（及びそれと重なった領域６５）、領域５５（及びそれと重なった領域６９）を開口部３２１の内側へと折りたたみ、ボックスコア７２の内面へ接着する。そして領域５３、６７を開口部３２１の内側へと折りたたみ、ボックスコア７２の内面へ接着する。以上の手順でボックス３２０が完成する。
【００４６】
ボックスカバー４２には細長領域５２、５４、６６、６８が形成されているが、この理由はこれらの細長領域が形成されていないと、ボックスコア７２の開口部３２１でのボックスカバー４２の折りたたみにおいて、ボックスコア７２の内面の角部においてボックスカバー４２にしわがよったりする等の不具合が生じるからである。
【００４７】
ボックス３２０のさらに外側にコーティングシール９０を貼り付ける。コーティングシール９０をボックス３２０に貼り付ける手順は、上述のボックスコア７２にボックスカバーシート４２を貼り付ける手順と同じなので説明を省略する。なおコーティングシール９０には長さが延長された延設部９０ａが形成されているので貼付する面積が大きく、そのためコーティングシール９０は剥がれることなく確実に貼付される。
【００４８】
以上のとおり、ユーザの好みにデザインされた冊子３００用の表紙部８０、及びボックス３２０を簡易な方法でユーザ自身で作成することができる。
【図面の簡単な説明】
【００４９】
【図１】本発明の全体を示す概要図。
【図２】ページシートを示す図。
【図３】冊子カバーシートとボックスカバーシートとを示す図。
【図４】冊子カバーコアとボックスコアとを示す図。
【図５】コーティングシールを示す図。
【図６】画像処理システムの概略を示す説明図。
【図７】表紙部の作成手順を示す図。
【図８】ページ部の作成手順を示す図。
【図９】ボックスコアの作成手順を示す図。
【図１０】ボックスカバーの貼付手順を示す図。
【図１１】ストラップの別の取り付け形態を説明する図。
【符号の説明】
【００５０】
１０    ストラップ
２０    ページシ−ト
４１    冊子カバーシート
４２    ボックスカバーシート
７１    冊子カバーコア
７２    ボックスコア
８０    表紙部
９０    コーティングシール
１００    冊子セット用キット
２００    パーソナルコンピュータ
２１０    プリンタ
３００    冊子
３１０    ストラップ付き冊子
３２０    ボックス
３３０    冊子セット
【図１】
2010069785.tif 000003
【図２】
2010069785.tif 000004
【図３】
2010069785.tif 000005
【図４】
2010069785.tif 000006
【図５】
2010069785.tif 000007
【図６】
2010069785.tif 000008
【図７】
2010069785.tif 000009
【図８】
2010069785.tif 000010
【図９】
2010069785.tif 000011
【図１０】
2010069785.tif 000012
【図１１】
2010069785.tif 000013